(57)【要約】    【課題】手軽に使用して、毛髪等の糸状屑物及びパン粉等の粒状屑物の両方に対して高い除去性能を発揮できる、清掃具を、提供すること。    【解決手段】内ケース２に支持された回転ブラシ３に塵埃を付着させることによって清掃を行う清掃具１０において、回転ブラシ３に付着している塵埃を、自らに付着させることによって除去する、除去ローラ４を、備えており、除去ローラ４は、回転ブラシ３の外周のスポンジ体３２に接触して且つ回転ブラシ３と共に回転するように、設けられている。【選択図】図４
2020044131.tif 000002
【特許請求の範囲】
【請求項１】
ケースに支持された回転ブラシを手動により回転させながら該回転ブラシに塵埃を付着させることによって、清掃を行う、清掃具において、
前記回転ブラシに付着している塵埃を、自らに付着させることによって除去する、除去ローラを、備えており、
前記除去ローラは、前記回転ブラシの外周に接触して且つ前記回転ブラシと共に回転するように、設けられている、
ことを特徴とする清掃具。
【請求項２】
前記回転ブラシの外周に対する前記除去ローラの接触の度合いを調節する接触調節機構を、更に、備えている、
請求項１記載の清掃具。
【請求項３】
前記除去ローラは、前記回転ブラシの外周に接触する外周面に、雄型面ファスナーを有している、
請求項１又は２に記載の清掃具。
【請求項４】
前記除去ローラは、前記ケースに対して着脱自在に設けられている、
請求項１〜３の何れか一つに記載の清掃具。
【請求項５】
前記回転ブラシは、回転軸と、前記回転軸の外周において略軸方向に延び且つ径方向に延びた複数の弾性ブレードからなるブラシ本体と、前記弾性ブレードの径方向外端部に設けられたスポンジ体と、を有している、
請求項１〜４の何れか一つに記載の清掃具。
【請求項６】
前記スポンジ体は、２５〜３５ｋｇ／ｍ３の密度を有し、１１〜１６個／２５ｍｍのセル数を有している、
請求項５記載の清掃具。
【請求項７】
前記スポンジ体は、ウレタンスポンジからなっている、
請求項５又は６に記載の清掃具。
【請求項８】
前記回転ブラシに付着している塵埃を削ぎ取って収容する塵埃収容室を、備えている、
請求項１〜７の何れか一つに記載の清掃具。
【発明の詳細な説明】
【技術分野】
【０００１】
本発明は、ケースに支持された回転ブラシに塵埃を付着させることによって清掃を行う清掃具に関する。
【背景技術】
【０００２】
床面の塵埃を手軽に除去するための清掃具は、特許文献１〜３等に示されるように、従来から種々知られている。
【先行技術文献】
【特許文献】
【０００３】
【特許文献１】特開平５−３１７２２６号公報
【特許文献２】特開２０１０−２７４０１０号公報
【特許文献３】特開２０１８−７９２９２号公報
【発明の概要】
【発明が解決しようとする課題】
【０００４】
ところで、市場では、手軽に使用でき且つ高い除去性能を発揮できる清掃具が、求められており、特に、毛髪等の糸状屑物及びパン粉等の粒状屑物の両方に対する除去性能が高い清掃具が、求められている。しかしながら、そのような清掃具は市場には見当たらない。
【０００５】
本発明は、毛髪等の糸状屑物及びパン粉等の粒状屑物の両方に対する除去性能が高く、且つ、手軽に使用できる、清掃具を、提供することを目的としている。
【課題を解決するための手段】
【０００６】
本発明は、ケースに支持された回転ブラシに塵埃を付着させることによって清掃を行う清掃具において、前記回転ブラシに付着している塵埃を、自らに付着させることによって除去する、除去ローラを、備えており、前記除去ローラは、前記回転ブラシの外周に接触して且つ前記回転ブラシと共に回転するように、設けられている、ことを特徴としている。
【発明の効果】
【０００７】
本発明によれば、手軽に使用して、毛髪等の糸状屑物及びパン粉等の粒状屑物の両方に対して高い除去性能を発揮できる。
【図面の簡単な説明】
【０００８】
【図１】本発明の一実施形態の清掃具の側面図である。
【図２】図１のII矢視図である。
【図３】図２のIII−III断面図である。
【図４】内ケースが外ケース内に半分ほど収納された使用状態を示す断面図である。
【図５】外ケースの両側壁のカバーを取り外してコロをＶ方向に見た略図である。
【図６】ブラシ本体の正面図である。
【図７】図６のＶII矢視図すなわち側面図である。
【図８】回転ブラシの側面図である。
【図９】内ケースの前方斜視図である。
【図１０】雄型面ファスナーの第１例を示す図である。
【図１１】雄型面ファスナーの第２例を示す図である。
【図１２】雄型面ファスナーの第３例を示す図である。
【図１３】図９の突壁部のＸIII矢視拡大図である。
【図１４】別の形態の清掃具を示す、図３に相当する図である。
【図１５】弾性ブレードの径方向外端部に対するスポンジ体の設け方の別の第１例を示す図である。
【図１６】弾性ブレードの径方向外端部に対するスポンジ体の設け方の別の第２例を示す図である。
【発明を実施するための形態】
【０００９】
図１は、本発明の一実施形態の清掃具の側面図である。図２は、図１のII矢視図である。図３は、図２のIII−III断面図である。図１〜図３は、非使用状態の清掃具を示している。本実施形態の清掃具１０は、外ケース１と、内ケース２と、回転ブラシ３と、除去ローラ４と、を備えている。
【００１０】
非使用状態において、外ケース１は、下方及び後方に開いた筐体であり、上面１１の中央に、ハンドル（図示せず）と連結するための連結部１２を有しており、内ケース２の一部を上方から覆っている。また、非使用状態において、内ケース２は、略前方に開いた筐体であり、図１及び図３の矢印Ｒ１のように回転ブラシ３の回転軸３０回りに回動して、外ケース１内に収納されるようになっている。図４は、内ケース２が外ケース１内に半分ほど収納された状態を示しており、清掃具１０は、通常はこの状態で使用される。なお、図４では、内ケース２が外ケース１内に完全に収納された使用状態を、一点鎖線で示している。使用状態における内ケース２は、非使用状態に自力で戻るように、外ケース１に対して、スプリング（図示せず）等によって、付勢されている。
【００１１】
回転ブラシ３の回転軸３０は、外ケース１の両側壁１３（図２）に支持されており、コロ１４の回転と連動するようになっている。図５は、両側壁１３のカバー１５を取り外してコロ１４をＶ方向に見た略図である。コロ１４は、リング形態を有しており、内周面のギヤ１４１が回転軸３０の端部３００の外周のギヤ３０１に噛み合った状態で、端部３００及び支持軸１６の回りを回転するようになっている。よって、コロ１４が回転すると、回転ブラシ３も回転する。なお、支持軸１６は、側壁１３の外面に外向きに形成されている。
【００１２】
回転ブラシ３は、回転軸３０と、ブラシ本体３１と、スポンジ体３２と、を有している。ブラシ本体３１は、図６に示されるように、回転軸３０の外周において、略軸方向に延び且つ径方向に延びた、複数（ここでは６枚）の弾性ブレード３３からなっている。より具体的には、弾性ブレード３３は、図６に示されるように、回転軸３０に沿って螺旋状になるように配置されており、且つ、図７に示されるように、横断面視にて回転軸３０を中心として放射状に延びている。そして、スポンジ体３２は、図３、図４、及び図８に示されるように、弾性ブレード３３の径方向外端部３３１を覆うように設けられている。
【００１３】
除去ローラ４は、図３及び図４に示されるように、内ケース２の前方開口の上部に位置している。除去ローラ４は、回転ブラシ３の外周すなわちスポンジ体３２に接触するように配置されており、これにより、回転ブラシ３の回転に連れ立って回転するようになっている。図９は、内ケース２の前方斜視図である。除去ローラ４の回転軸４０は、図９に示されるように、内ケース２の両側壁２１の突壁部２２に、支持されている。回転軸４０は、突壁部２２に着脱自在に支持されており、よって、除去ローラ４は、内ケース２に対して着脱自在となっている。除去ローラ４は、外周面が雄型面ファスナー４１で覆われたロール体である。雄型面ファスナー４１としては、例えば、図１０に示されるようなキノコ型ファスナー４１１を用いるのが好ましいが、図１１に示されるようなフック型ファスナー４１２又は図１２に示されるようなストレート型ファスナー４１３を採用してもよい。
【００１４】
更に、除去ローラ４は、回転ブラシ３の外周に対する除去ローラ４の接触の度合いを調節する接触調節機構を、備えている。図１３は、図９の突壁部２２のＸIII矢視拡大図である。接触調節機構は、突壁部２２の先端に設けられたネジ４５と、突壁部２２の孔２３内に配置された２枚のプレート４６１、４６２と、２枚のプレート４６１、４６２間に配置されたスプリング４７と、を有している。除去ローラ４の回転軸４０の端部４００は、突壁部２２の孔２３内に位置している。ネジ４５は、プレート４６１を端部４００に向けて進退させるように、設けられている。すなわち、ネジ４５は、プレート４６１、スプリング４７、及びプレート４６２を、端部４００に向けて進退させるようになっている。プレート４６２は、回転軸４０の端部４００に当接している。したがって、接触調節機構によれば、ネジ４５を孔２３内にて進めると、回転軸４０の端部４００が矢印Ｄ１方向に移動することとなり、除去ローラ４の回転ブラシ３に対する接触の度合いが強くなり、逆に、ネジ４５を孔２３内にて退かせると、回転軸４０の端部４００が矢印Ｄ２方向に移動することとなり、除去ローラ４の回転ブラシ３に対する接触の度合いが弱くなる。なお、回転軸４０の端部４００は、スプリング４７を介して、矢印Ｄ１方向に押されているので、除去ローラ４は、回転ブラシ３の外周に対して、弾性を持って接触している。
【００１５】
内ケース２は、図３及び図４に示されるように、前室２５と後室２６との２つの室に区画されている。前室２５と後室２６とは、弁体２７によって仕切られている。前室２５は、回転ブラシ３を収容している。後室２６は、仕切り部分に、上向き凸部２６１を有している。上向き凸部２６１は、回転ブラシ３の外周を削ぐように形成されており、すなわち、回転ブラシ３の外周に付着している塵埃を削ぎ取るように形成されている。一方、弁体２７は、図３に示される非使用状態から、上端２７１を支点として回動するようになっている。弁体２７は、非使用状態では、図３に示されるように、下端２７２が上向き凸部２６１に対して後方から当接しており、すなわち、閉じており、これによって、前室２５と後室２６とを仕切っている。そして、弁体２７は、内ケース２が回転軸３０回りに回動して外ケース１内に収納されていく際に、内ケース２の回動に伴って、上端２７１を支点としてＲ２方向に回動するようになっている。よって、弁体２７は、図４に示される使用状態では、開いており、前室２５と後室２６とを連通させる。これにより、使用状態では、上向き凸部２６１によって回転ブラシ３の外周から削ぎ取られた塵埃が後室２６に収容される。よって、後室２６は、塵埃収容室として機能する。なお、後室２６は、収容された塵埃を取り出すための開閉窓２６２を、後面に有している。
【００１６】
上記構成の清掃具１０の作動について、説明する。
まず、清掃具１０を、図４に示されるような使用状態とする。なお、図４の一点鎖線で示されるような使用状態としてもよい。このとき、弁体２７は、開いた状態となる。これは、連結部１２に連結されたハンドルを持って、図３の状態から、外ケース１を下向きに回動させることにより、容易に実現できる。
【００１７】
そして、清掃具１０を床面上で手動により前後進させる。すなわち、床面に接地しているコロ１４を手動により前後に回転させながら、清掃具１０を床面上で前後進させる。これにより、回転ブラシ３は、清掃具１０が前進する際にはＡ１方向に回転し、清掃具１０が後進する際にはＡ２方向に回転する。このとき、回転ブラシ３は、弾性ブレード３３のスポンジ体３２を床面に圧着させながら、回転する。また、回転ブラシ３がＡ２方向に回転する際、スポンジ体３２は、上向き凸部２６１に対して、削がれるように接触する。
【００１８】
一方、回転ブラシ３が回転すると、その回転に連れ立って、除去ローラ４も回転する。除去ローラ４は、回転ブラシ３がＡ１方向に回転するとＢ１方向に回転し、回転ブラシ３がＡ２方向に回転するとＢ２方向に回転する。
【００１９】
上記構成の清掃具１０は、次のような作用効果を発揮できる。
（１）回転ブラシ３が、弾性ブレード３３のスポンジ体３２を床面に圧着させながら、回転するので、スポンジ体３２には、床面上の塵埃が付着する。特に、スポンジ体３２は、床面上の毛髪等の糸状屑物及びパン粉等の粒状屑物を良好に付着させることができる。したがって、清掃具１０は、毛髪等の糸状屑物及びパン粉等の粒状屑物の両方に対して、高い除去性能を発揮できる。なお、糸状屑物としては、毛髪の他に、ペット体毛、縫糸、樹脂糸（例えば、釣糸、ブラシの毛、インシュロック等）、針金（例えば、荷札用金属線、モーター用コイル等）を挙げることができ、また、粒状屑物としては、パン粉の他に、菓子屑、食物屑（例えば、米、小麦、野菜、コーヒー豆の屑等）、土砂、砂粒、虫の死骸、樹脂屑（例えば、プラスチック、ビニールの屑等）、木片、紙屑（例えば、ティッシュ片、新聞屑等）を挙げることができ、清掃具１０は、これらの糸状屑物及び粒状屑物に対して、高い除去性能を発揮できる。
【００２０】
特に、回転ブラシ３は、弾性ブレード３３の弾力性によってスポンジ体３２を床面に強く圧着できるので、高い除去性能を発揮できる。
【００２１】
（２）除去ローラ４は、回転ブラシ３の外周のスポンジ体３２に接触するように配置されているので、回転ブラシ３が回転する際に、スポンジ体３２に付着している塵埃を、自身に付着させることによって、スポンジ体３２から除去できる。よって、スポンジ体３２は、常に略新鮮な状態で床面に圧着することとなる。したがって、清掃具１０は、回転ブラシ３による除去性能を高く維持できる。
【００２２】
特に、除去ローラ４は、外周に雄型面ファスナー４１を有しているので、スポンジ体３２に付着している塵埃をスポンジ体３２から略確実に除去できる。
【００２３】
（３）除去ローラ４は、内ケース２に対して着脱自在であるので、多量の塵埃が付着した場合には、内ケース２から取り外して、洗浄して再使用したり新品の除去ローラ４と交換したりできる。
【００２４】
（４）回転ブラシ３がＡ２方向に回転する際に、後室２７は、スポンジ体３２に付着している塵埃を、上向き凸部２６１によってスポンジ体３２から削ぎ取って、収容することができる。したがって、これによっても、スポンジ体３２は、常に略新鮮な状態で床面に圧着することとなる。したがって、清掃具１０は、回転ブラシ３による除去性能を高く維持できる。
【００２５】
（５）除去ローラ４は、スポンジ体３２に付着している塵埃の内、上向き凸部２６１によっても削ぎ取られにくい塵埃、例えば毛髪等の糸状屑物を、スポンジ体３２から略確実に除去できる。これによっても、スポンジ体３２は、常に略新鮮な状態で床面に圧着することとなる。
【００２６】
（６）接触調節機構によって、回転ブラシ３の外周に対する除去ローラ４の「接触の度合い」を調節できるので、スポンジ体３２に付着している塵埃をスポンジ体３２から除去する程度を調節できる。具体的には、例えば、床面上の塵埃の量が通常の場合に比して多く、それ故、スポンジ体３２に多量の塵埃が付着する場合には、「接触の度合い」を通常の場合に比して大きくする。これによれば、スポンジ体３２に付着している塵埃を、除去ローラ４によって、確実にすなわち多量に除去でき、よって、スポンジ体３２を、良好な除去性能を発揮できる状態にできる。したがって、清掃具１０は、床面上の汚れ具合に応じて、除去性能を調節できる。
【００２７】
（７）接触調節機構によって、除去ローラ４は、回転ブラシ３の外周に対して、弾性を持って接触しているので、除去ローラ４が回転ブラシ３の回転の妨げになることはない。
【００２８】
（８）後室２６が、塵埃収容室として機能するので、清掃具１０は、長時間、使用できる。
【００２９】
（９）清掃具１０は、使用状態で手動によって床面上を前後進させるだけで除去性能を発揮できるので、手軽に使用できる。
【００３０】
［実施例］
上記構成の清掃具１０において、次の材質・物性のスポンジ体３２を用いたところ、表１に示される除去性能を発揮した。なお、表１は、床面上に存在していた毛髪・パン粉の量に対する、清掃具１０によって除去できた毛髪・パン粉の量の、割合を、示している。
・材質：ウレタンスポンジ
・物性：２５〜３５ｋｇ／ｍ３の密度を有し、１１〜１６個／２５ｍｍのセル数を有している。
【００３１】
【表１】
2020044131.tif 000003
【００３２】
表１に示されるように、清掃具１０は、カーペットの場合でもフローリングの場合でも、毛髪及びパン粉の両方に対して共に高い割合で除去性能を発揮できる。
【００３３】
［変形形態］
（ａ）図１４は、別の形態の清掃具１０を示す、図３に相当する図である。本形態では、回転ブラシ３のブラシ本体３１が、上記実施形態のような複数の弾性ブレード３３を有する形態ではなく、単なるロール体で構成されている。すなわち、本形態の回転ブラシ３は、回転軸３０と、ロール体３１と、ロール体３１の周面を覆うスポンジ体３２と、を有している。本形態によっても、上記実施形態と同様の作用効果を発揮できる。
【００３４】
（ｂ）弾性ブレード３３は、６枚に限るものではなく、例えば、２〜８枚の任意の枚数、又は、それ以上の枚数でもよい。
【００３５】
（ｃ）スポンジ体３２は、図１５に示されるように、弾性ブレード３３の径方向外端部３３１の先端面３３２を覆っていなくてもよい。
【００３６】
（ｄ）スポンジ体３２は、図１６に示されるように、弾性ブレード３３の径方向外端部３３１の片面のみを覆うように設けられてもよい。
【００３７】
（ｅ）スポンジ体３２は、回転ブラシ３の全ての弾性ブレード３３ではなく一部の弾性ブレード３３にだけ、設けられてもよい。
【００３８】
（ｆ）スポンジ体３２は、ウレタン以外の組成物からなるスポンジでもよい。
【産業上の利用可能性】
【００３９】
本発明の清掃具は、毛髪等の糸状屑物及びパン粉等の粒状屑物の両方に対する除去性能が高く、且つ、手軽に使用できるので、産業上の利用価値が大である。
【符号の説明】
【００４０】
１  外ケース
２  内ケース
２６  後室（塵埃収容室）
３  回転ブラシ
３０  回転軸
３１  ブラシ本体
３２  スポンジ体
３３  弾性ブレード
３３１  （弾性ブレードの）径方向外端部
４    除去ローラ
４１  雄型面ファスナー
１０  清掃具
【図１】
2020044131.tif 000004
【図２】
2020044131.tif 000005
【図３】
2020044131.tif 000006
【図４】
2020044131.tif 000007
【図５】
2020044131.tif 000008
【図６】
2020044131.tif 000009
【図７】
2020044131.tif 000010
【図８】
2020044131.tif 000011
【図９】
2020044131.tif 000012
【図１０】
2020044131.tif 000013
【図１１】
2020044131.tif 000014
【図１２】
2020044131.tif 000015
【図１３】
2020044131.tif 000016
【図１４】
2020044131.tif 000017
【図１５】
2020044131.tif 000018
【図１６】
2020044131.tif 000019